【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
第１の端部および第２の端部を有する複数のセンサワイヤを備え、それぞれのセンサワイヤが実質的に共通の向きに配列されており、前記複数のセンサワイヤが導電性であり、前記複数のセンサワイヤが、
第１の電気絶縁カバーによって実質的に覆われた第１のセンサワイヤであり、前記第１の電気絶縁カバーの開口部が作用電極エリアを画定する第１のセンサワイヤと、
第２の電気絶縁カバーによって実質的に覆われた第２のセンサワイヤであり、前記第２の電気絶縁カバーの開口部が参照電極エリアを画定する第２のセンサワイヤと、
第３の電気絶縁カバーによって実質的に覆われた第３のセンサワイヤであり、前記第３の電気絶縁カバーの開口部が対電極エリアを画定する第３のセンサワイヤと
を含み、
前記複数のセンサワイヤが、第１の側面および前記第１の側面に対向する第２の側面を有し、前記作用電極エリアが前記第１の側面にあり、前記対電極エリアおよび前記参照電極エリアが前記第２の側面にあることを特徴とする分析物センサ。
【請求項２】
請求項１に記載の分析物センサであって、前記複数のセンサワイヤがさらに、
第４の電気絶縁カバーによって実質的に覆われた第４のセンサワイヤであり、前記第４の電気絶縁カバーの開口部が第２の作用電極エリアを画定する第４のセンサワイヤを含むことを特徴とする分析物センサ。
【請求項３】
請求項１に記載の分析物センサであって、前記複数のセンサワイヤが、リボンワイヤ形状、束形状、または積層形状に配列されていることを特徴とする分析物センサ。
【請求項４】
請求項１に記載の分析物センサであって、前記複数のセンサワイヤが、円筒形の心材の周りにコイル状に巻き付いていることを特徴とする分析物センサ。
【請求項５】
請求項４に記載の分析物センサであって、前記円筒形の心材が、被覆されたポリマー、ヒドロゲルおよび形状記憶合金からなるグループから選択された材料であることを特徴とする分析物センサ。
【請求項６】
請求項１に記載の分析物センサであって、前記第１のセンサワイヤおよび前記第３のセンサワイヤがそれぞれ、白金、イリジウム、酸化イリジウムおよびパラジウムからなるグループから個別に選択された材料を含み、
前記第２のセンサワイヤが、銀、塩化銀および銀と塩化銀の組合せからなるグループから選択された材料を含み、
前記第１の電気絶縁カバー、前記第２の電気絶縁カバーおよび前記第３の電気絶縁カバーがそれぞれ、ＰＴＦＥ（ポリテトラフルオロエチレン）、ＥＴＦＥ（エチレンテトラフルオロエチレン）、ＦＥＰ（フッ素化エチレンプロピレン）およびＰＦＡ（ペルフルオロアルコキシ）からなるグループから個別に選択された材料を含み、
前記複数のセンサワイヤのうちの少なくとも１本のセンサワイヤが形状記憶合金を含み、
前記第１のセンサワイヤの前記作用電極エリアにおいて露出した部分が、白金黒、多孔質白金、イリジウム、酸化イリジウムおよびポリピロールからなるグループから選択された電極コーティングで被覆され、
前記複数のセンサワイヤのうちの少なくとも１本のセンサワイヤが、そのセンサワイヤの電気絶縁カバーに、第２の電極エリアを画定する第２の開口部を有し、あるいは、
前記複数のセンサワイヤのうちのそれぞれのセンサワイヤの、そのワイヤの前記電極エリアと電気的に連通した接点を画定する部分が、前記電気絶縁カバーから露出しており、前記接点が実質的に、前記複数のセンサワイヤの前記第２の端部の近くまたは前記複数のセンサワイヤの前記第２の端部にあり、前記電極エリアが実質的に、前記複数のセンサワイヤの前記第１の端部の近くまたは前記複数のセンサワイヤの前記第１の端部にある、
ことを特徴とする分析物センサ。
【請求項７】
請求項１に記載の分析物センサであって、前記第１のセンサワイヤの前記作用電極エリアにおいて露出した部分が、表面積が増大するように修飾されていることを特徴とする分析物センサ。
【請求項８】
請求項７に記載の分析物センサであって、前記第１のセンサワイヤの前記作用電極エリアにおいて露出した部分が、多孔質金属および多孔質ポリマーからなるグループから選択された１種類以上の成分で少なくとも部分的に被覆されていることを特徴とする分析物センサ。
【請求項９】
請求項１に記載の分析物センサであって、前記第１のワイヤの前記作用電極エリアにおいて露出した部分が、グルコースオキシダーゼを含む分析物感知層で被覆されていることを特徴とする分析物センサ。
【請求項１０】
請求項９に記載の分析物センサであって、前記分析物感知層が、ポリジメチルシロキサン（ＰＤＭＳ）を含む分析物調節層で被覆されていることを特徴とする分析物センサ。
【請求項１１】
請求項１０に記載の分析物センサであって、前記分析物感知層が、前記分析物調節層の下にある接着促進層で被覆されており、前記接着促進層がシラン化合物を含むことを特徴とする分析物センサ。
【請求項１２】
請求項１に記載の分析物センサであって、前記複数のセンサワイヤのうちのそれぞれのセンサワイヤが、前記複数のセンサワイヤの前記第１の端部に先端を有し、前記先端が前記電気絶縁カバーによって覆われておらず、前記先端が先端被覆層によって被覆されていることを特徴とする分析物センサ。
【請求項１３】
請求項１２に記載の分析物センサであって、前記先端被覆層がポリ（ｐ−キシリレン）ポリマーを含むことを特徴とする分析物センサ。
【請求項１４】
患者の皮膚の表面に配置できる取付けベースであり、開口およびコネクタ部分を含む取付けベースと、
前記取付けベース内に収容された請求項１に記載の分析物センサであり、前記取付けベースの前記コネクタ部分と電気的に連通する接点を画定するために、前記複数のセンサワイヤのうちのそれぞれのセンサワイヤの、前記複数のセンサワイヤの前記第２の端部の近くまたは前記複数のセンサワイヤの前記第２の端部が、そのセンサワイヤの電気絶縁カバーから露出している分析物センサと
を備え、
少なくとも前記分析物センサの前記第１の端部が、前記取付けベースの前記開口から、前記ベースから実質的に９０度の角度で延出している
ことを特徴とするセンサセット。
【請求項１５】
請求項１４に記載のセンサセットであって、
前記取付けベースから延出した前記分析物センサの部分を実質的に覆うカニューレ、または、
前記取付けベースの前記コネクタ部分に接続可能な送信器であり、前記分析物センサから信号を受け取ることができる送信器、
をさらに備えることを特徴とするセンサセット。
【請求項１６】
請求項１５に記載のセンサセットであって、前記送信器が、送信器凹部および前記凹部内の送信器ピンを含み、前記送信器凹部および前記送信器ピンが、前記送信器凹部に前記取付けベースの前記コネクタ部分が挿入されたときに前記送信器を前記分析物センサに電気的に接続するためのものであることを特徴とするセンサセット。
【請求項１７】
請求項１６に記載のセンサセットであって、前記取付けベースの前記コネクタ部分が、前記分析物センサの前記電極エリアと電気的に連通した導電性のピンを含み、前記導電性ピンが、前記送信器ピンに接続できることを特徴とするセンサセット。
【請求項１８】
請求項１７に記載のセンサセットであって、前記複数のセンサワイヤのうちのそれぞれのセンサワイヤの、そのワイヤの前記電極エリアと電気的に連通した接点を画定する部分が、前記電気絶縁カバーから露出しており、前記接点が実質的に、前記複数のセンサワイヤの前記第２の端部の近くまたは前記複数のセンサワイヤの前記第２の端部にあり、前記電極エリアが実質的に、前記複数のセンサワイヤの前記第１の端部の近くまたは前記複数のセンサワイヤの前記第１の端部にあり、前記接点が、前記導電性ピンに電気的に接続できることを特徴とするセンサセット。
【請求項１９】
請求項１７に記載のセンサセットであって、前記取付けベースが金属インサートをさらに含み、該金属インサートが、前記分析物センサが前記取付けベースに収容されたときに、前記複数の導電性ワイヤのうちのそれぞれの導電性ワイヤの前記電気絶縁カバーに孔をあけ、前記電極エリアが前記金属インサートと電気的に連通するようにし、前記金属インサートが、前記導電性ピンに電気的に接続できることを特徴とするセンサセット。
【手続補正２】
【補正対象書類名】明細書
【補正対象項目名】発明の名称
【補正方法】変更
【補正の内容】
【発明の名称】改良された電極構成を有する分析物センサ装置